【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
基地局において、複数のユーザ機器（ＵＥ）のうちの第１のＵＥと第２のＵＥとの間の距離を決定することと、ここにおいて、前記距離は、シーケンス長、仮説の数、または直交周波数分割多重化（ＯＦＤＭ）シンボルを共有するＵＥの数、のうちの１つまたは複数に基づいて決定され、
前記基地局において、前記第１のＵＥと前記第２のＵＥの各々に関する複数のサイクリックシフトを決定することと、ここにおいて、前記複数のサイクリックシフトは、ベースシーケンスに関連して、および前記距離と前記ＯＦＤＭシンボルを共有するＵＥの前記数とに基づいて決定され、
前記第１のＵＥおよび前記第２のＵＥの各々に１つまたは複数のシーケンスを割り当てることと、ここにおいて、前記第１のＵＥおよび前記第２のＵＥに割り当てられた前記１つまたは複数のシーケンスは、前記第１のＵＥおよび前記第２のＵＥに関連付けられた対応する複数のサイクリックシフトに基づいており、
前記基地局において、多重化信号を受信することと、ここにおいて、前記多重化信号は、前記ＯＦＤＭシンボルを介して送信されるアップリンクショートバースト上に多重化された、前記第１のＵＥおよび前記第２のＵＥからのアップリンク制御情報（ＵＣＩ）の少なくとも１つのビットを含む、
を備える、方法。
【請求項２】
前記距離は、仮説距離であり、ＵＣＩの前記少なくとも１つのビットは、確認応答（ＡＣＫ）、否定ＡＣＫ（ＮＡＣＫ）、またはスケジューリング要求（ＳＲ）のうちの１つまたは複数のビットを含む、請求項１に記載の方法。
【請求項３】
前記距離は、前記仮説距離であり、前記仮説距離は、１つのＵＥに関連付けられた第１の仮説と第２の仮説との間の距離であり、前記ＵＥは、前記第１のＵＥまたは前記第２のＵＥである、請求項２に記載の方法。
【請求項４】
前記第１の仮説はＡＣＫであり、前記第２の仮説はＮＡＣＫである、請求項３に記載の方法。
【請求項５】
ＵＣＩの前記少なくとも１つのビットは、少なくとも１つのスケジューリング要求（ＳＲ）ビット、少なくとも１つの確認応答（ＡＣＫ）ビット、または少なくとも１つのＳＲビットおよび少なくとも１つのＡＣＫビットを備える、請求項１に記載の方法。
【請求項６】
２つの前記複数のサイクリックシフトの間の前記仮説距離は、１つのＵＥからの２つのＵＣＩ仮説に関して６である、請求項５に記載の方法。
【請求項７】
前記複数のサイクリックシフトの任意の２つの隣接するサイクリックシフトの間の最小仮説距離は、１つのＵＥからの４つのＵＣＩ仮説に関して３である、請求項５に記載の方法。
【請求項８】
前記多重化信号は、前記第１のＵＥおよび前記第２のＵＥの両方からのＵＣＩを含む、請求項１に記載の方法。
【請求項９】
基地局であって、
メモリと、
前記メモリと通信状態であるプロセッサとを備え、前記プロセッサは、
複数のＵＥのうちの第１のＵＥおよび第２のＵＥのための１つまたは複数の周波数リソースを決定することと、
前記第１のＵＥおよび前記第２のＵＥの各々に、前記決定された１つまたは複数の周波数リソースを割り当てることと、
前記第１のＵＥおよび前記第２のＵＥの各々に、１つまたは複数のサイクリックシフトを割り当てることと、
多重化信号を受信することと、ここにおいて、前記多重化信号は、直交周波数分割多重化（ＯＦＤＭ）シンボルを介して送信されたアップリンクショートバースト上の周波数分割多重化（ＦＤＭ）に基づいた、前記第１のＵＥおよび前記第２のＵＥからのアップリンク制御情報（ＵＣＩ）の少なくとも１つのビットを含む、
ように構成された、基地局。
【請求項１０】
前記１つまたは複数のサイクリックシフトは、最大仮説距離を有する、請求項９に記載の基地局。
【請求項１１】
２つの前記複数のサイクリックシフトの間の前記仮説距離は、１つのＵＥからの２つのＵＣＩ仮説に関して６である、請求項１０に記載の基地局。
【請求項１２】
前記複数のサイクリックシフトの任意の２つの隣接するサイクリックシフトの間の最小仮説距離は、１つのＵＥからの４つのＵＣＩ仮説に関して３である、請求項１０に記載の基地局。
【請求項１３】
ＵＣＩの前記少なくとも１つのビットは、少なくとも１つのスケジューリング要求（ＳＲ）ビット、少なくとも１つの確認応答（ＡＣＫ）ビット、または少なくとも１つのＳＲビットおよび少なくとも１つのＡＣＫビットを備える、請求項９に記載の基地局。
【請求項１４】
ワイヤレス通信の方法であって、
ＵＥにおいて、基地局によって前記ＵＥに割り当てられた１つまたは複数のシーケンスを受信することと、ここにおいて、前記１つまたは複数のシーケンスは、前記ＵＥに関連付けられた複数のサイクリックシフトに基づいて前記基地局によって割り当てられ、ベースシーケンスに関連して、および前記ＵＥと第２のＵＥとの間の距離と、直交周波数分割多重化（ＯＦＤＭ）シンボルを共有するＵＥの数とに基づいて、前記基地局によって決定され、
前記ＵＥによって、多重化信号の一部としてアップリンク制御情報（ＵＣＩ）を送信することと、ここにおいて、前記多重化信号は、前記ＯＦＤＭシンボルを介して送信されるアップリンクショートバースト上に多重化された、前記ＵＥおよび第２のＵＥからのＵＣＩの少なくとも１つのビットを含む、
を備える、方法。
【請求項１５】
ワイヤレス通信の方法であって、
前記ＵＥにおいて、基地局によって決定された１つまたは複数の周波数リソースおよび１つまたは複数のシフトを受信することと、
前記ＵＥによって、多重化信号の一部としてアップリンク制御情報（ＵＣＩ）を送信することと、ここにおいて、前記多重化信号は、直交周波数分割多重化（ＯＦＤＭ）シンボルを介して送信されたアップリンクショートバースト上の周波数分割多重化（ＦＤＭ）に基づいた、前記ＵＥおよび前記第２のＵＥからのＵＣＩの少なくとも１つのビットを含む、
を備える、方法。
【手続補正２】
【補正対象書類名】明細書
【補正対象項目名】０１１３
【補正方法】変更
【補正の内容】
【０１１３】
[00137]本開示の前述の説明は、当業者が本開示を作成または使用することができるように提供される。本開示への様々な修正は当業者には容易に明らかであり、本明細書で定義した一般的な原理は、本開示の趣旨または範囲から逸脱することなく他の変形に適用され得る。さらに、説明した態様および／または実施形態の要素は、単数形で説明または特許請求され得るが、単数形への限定が明示的に述べられていない限り、複数形が企図される。さらに、任意の態様および／または実施形態の全てまたは一部は、別段指定されない限り、任意の他の態様および／または実施形態の全てまたは一部とともに利用され得る。よって、本開示は、本明細書で説明する例および設計に限定されるものではなく、本明細書で開示する原理および新規の特徴に合致する最も広い範囲を与えられるべきである。
以下に本願の出願当初の特許請求の範囲に記載された発明を付記する。
［Ｃ１］
ワイヤレス通信の方法であって、
基地局において、複数のユーザ機器（ＵＥ）のうちの第１のＵＥと第２のＵＥとの間の距離を決定することと、ここにおいて、前記距離は、シーケンス長、仮説の数、または直交周波数分割多重化（ＯＦＤＭ）シンボルを共有するＵＥの数、のうちの１つまたは複数に基づいて決定され、
前記基地局において、前記第１のＵＥと前記第２のＵＥの各々に関する複数のサイクリックシフトを決定することと、ここにおいて、前記複数のサイクリックシフトは、ベースシーケンスに関連して、および前記距離と前記ＯＦＤＭシンボルを共有するＵＥの前記数とに基づいて決定され、
前記第１のＵＥおよび前記第２のＵＥの各々に１つまたは複数のシーケンスを割り当てることと、ここにおいて、前記第１のＵＥおよび前記第２のＵＥに割り当てられた前記１つまたは複数のシーケンスは、前記第１のＵＥおよび前記第２のＵＥに関連付けられた対応する複数のサイクリックシフトに基づいており、
前記基地局において、多重化信号を受信することと、ここにおいて、前記多重化信号は、前記ＯＦＤＭシンボルを介して送信されるアップリンクショートバースト上に多重化された、前記第１のＵＥおよび前記第２のＵＥからのアップリンク制御情報（ＵＣＩ）の少なくとも１つのビットを含む、
を備える、方法。
［Ｃ２］
前記距離は、仮説距離、ユーザ距離、またはランダムな距離であり、ＵＣＩの前記少なくとも１つのビットは、確認応答（ＡＣＫ）、否定ＡＣＫ（ＮＡＣＫ）、またはスケジューリング要求（ＳＲ）のうちの１つまたは複数のビットを含む、Ｃ１に記載の方法。
［Ｃ３］
前記距離は、前記仮説距離であり、前記仮説距離は、１つのＵＥに関連付けられた第１の仮説と第２の仮説との間の距離であり、前記ＵＥは、前記第１のＵＥまたは前記第２のＵＥである、Ｃ２に記載の方法。
［Ｃ４］
前記仮説距離は、最大仮説距離である、Ｃ３に記載の方法。
［Ｃ５］
前記第１の仮説はＡＣＫであり、前記第２の仮説はＮＡＣＫである、Ｃ３に記載の方法。
［Ｃ６］
前記距離は、前記ユーザ距離であり、前記ユーザ距離は、前記第１のＵＥと第２のＵＥとの間の距離である、Ｃ２に記載の方法。
［Ｃ７］
前記ユーザ距離は、最大ユーザ距離である、Ｃ６に記載の方法。
［Ｃ８］
前記距離は、前記第１のＵＥおよび前記第２のＵＥへの、シーケンスのランダムな割り当てに基づく、Ｃ２に記載の方法。
［Ｃ９］
ＵＣＩの前記少なくとも１つのビットは、少なくとも１つのスケジューリング要求（ＳＲ）ビット、少なくとも１つの確認応答（ＡＣＫ）ビット、または少なくとも１つのＳＲビットおよび少なくとも１つのＡＣＫビットを備える、Ｃ１に記載の方法。
［Ｃ１０］
２つの前記複数のサイクリックシフトの間の前記仮説距離は、１つのＵＥからの２つのＵＣＩ仮説に関して６である、Ｃ９に記載の方法。
［Ｃ１１］
前記複数のサイクリックシフトの任意の２つの隣接するサイクリックシフトの間の最小仮説距離は、１つのＵＥからの４つのＵＣＩ仮説に関して３である、Ｃ９に記載の方法。
［Ｃ１２］
前記多重化信号を受信することは、最大２ビットのＵＣＩの前記少なくとも１つのビットに関する短い物理アップリンク制御チャネル（ＰＵＣＣＨ）において、前記少なくとも１つのＳＲビットおよび前記少なくとも１つのＡＣＫビットを受信することを含む、Ｃ９に記載の方法。
［Ｃ１３］
ＵＣＩの前記少なくとも１つのビットは、多くとも１つのスケジューリング要求（ＳＲ）ビット、多くとも２つの確認応答（ＡＣＫ）ビット、または多くとも１つのＳＲビットおよび多くとも２つのＡＣＫビットを備える、Ｃ９に記載の方法。
［Ｃ１４］
前記シーケンスは、１２インデックスの長さを有する、Ｃ１に記載の方法。
［Ｃ１５］
１つのサイクリックシフトは、単一のスケジューリング要求（ＳＲ）のみを含む、Ｃ１に記載の方法。
［Ｃ１６］
前記多重化信号は、前記第１のＵＥおよび前記第２のＵＥの両方からのＵＣＩを含む、Ｃ１に記載の方法。
［Ｃ１７］
基地局であって、
メモリと、
前記メモリと通信状態であるプロセッサとを備え、前記プロセッサは、
複数のＵＥのうちの第１のＵＥおよび第２のＵＥのための１つまたは複数の周波数リソースを決定することと、
前記第１のＵＥおよび前記第２のＵＥの各々に、前記決定された１つまたは複数の周波数リソースを割り当てることと、
前記第１のＵＥおよび前記第２のＵＥの各々に、１つまたは複数のサイクリックシフトを割り当てることと、
多重化信号を受信することと、ここにおいて、前記多重化信号は、直交周波数分割多重化（ＯＦＤＭ）シンボルを介して送信されたアップリンクショートバースト上の周波数分割多重化（ＦＤＭ）に基づいた、前記第１のＵＥおよび前記第２のＵＥからのアップリンク制御情報（ＵＣＩ）の少なくとも１つのビットを含む、
ように構成された、基地局。
［Ｃ１８］
前記１つまたは複数の周波数リソースは、異なる帯域に位置し、ＵＣＩの前記少なくとも１つのビットは、確認応答（ＡＣＫ）、否定ＡＣＫ（ＮＡＣＫ）、またはスケジューリング要求（ＳＲ）のうちの１つまたは複数のビットを含む、Ｃ１７に記載の基地局。
［Ｃ１９］
前記１つまたは複数の周波数リソースは、前記第１のＵＥおよび前記第２のＵＥに関する異なるくし状部に基づく、Ｃ１７に記載の基地局。
［Ｃ２０］
前記１つまたは複数のサイクリックシフトは、最大仮説距離を有する、Ｃ１７に記載の基地局。
［Ｃ２１］
２つの前記複数のサイクリックシフトの間の前記仮説距離は、１つのＵＥからの２つのＵＣＩ仮説に関して６である、Ｃ２０に記載の基地局。
［Ｃ２２］
前記複数のサイクリックシフトの任意の２つの隣接するサイクリックシフトの間の最小仮説距離は、１つのＵＥからの４つのＵＣＩ仮説に関して３である、Ｃ２０に記載の基地局。
［Ｃ２３］
ＵＣＩの前記少なくとも１つのビットは、少なくとも１つのスケジューリング要求（ＳＲ）ビット、少なくとも１つの確認応答（ＡＣＫ）ビット、または少なくとも１つのＳＲビットおよび少なくとも１つのＡＣＫビットを備える、Ｃ１７に記載の基地局。
［Ｃ２４］
ＵＣＩの前記少なくとも１つのビットは、多くとも１つのスケジューリング要求（ＳＲ）ビット、多くとも２つの確認応答（ＡＣＫ）ビット、または多くとも１つのＳＲビットおよび多くとも２つのＡＣＫビットを備える、Ｃ２３に記載の基地局。
［Ｃ２５］
１つのサイクリックシフトは、単一のスケジューリング要求（ＳＲ）のみを含む、Ｃ１７に記載の基地局。
［Ｃ２６］
前記多重化信号は、前記第１のＵＥおよび前記第２のＵＥの両方からのＵＣＩを含む、Ｃ１７に記載の基地局。
［Ｃ２７］
ワイヤレス通信の方法であって、
ＵＥにおいて、基地局によって前記ＵＥに割り当てられた１つまたは複数のシーケンスを受信することと、ここにおいて、前記１つまたは複数のシーケンスは、前記ＵＥに関連付けられた複数のサイクリックシフトに基づいて前記基地局によって割り当てられ、ベースシーケンスに関連して、および前記ＵＥと第２のＵＥとの間の距離と、直交周波数分割多重化（ＯＦＤＭ）シンボルを共有するＵＥの数とに基づいて、前記基地局によって決定され、
前記ＵＥによって、多重化信号の一部としてアップリンク制御情報（ＵＣＩ）を送信することと、ここにおいて、前記多重化信号は、前記ＯＦＤＭシンボルを介して送信されるアップリンクショートバースト上に多重化された、前記ＵＥおよび第２のＵＥからのＵＣＩの少なくとも１つのビットを含む、
を備える、方法。
［Ｃ２８］
前記距離は、シーケンス長、仮説の数、または前記ＯＦＤＭシンボルを共有するＵＥの前記数、のうちの１つまたは複数に基づいて前記基地局によって決定される、Ｃ２７に記載の方法。
［Ｃ２９］
ワイヤレス通信の方法であって、
前記ＵＥにおいて、基地局によって決定された１つまたは複数の周波数リソースおよび１つまたは複数のシフトを受信することと、
前記ＵＥによって、多重化信号の一部としてアップリンク制御情報（ＵＣＩ）を送信することと、ここにおいて、前記多重化信号は、直交周波数分割多重化（ＯＦＤＭ）シンボルを介して送信されたアップリンクショートバースト上の周波数分割多重化（ＦＤＭ）に基づいた、前記ＵＥおよび前記第２のＵＥからのＵＣＩの少なくとも１つのビットを含む、
を備える、方法。
［Ｃ３０］
前記１つまたは複数の周波数リソースは、異なる帯域に位置し、ＵＣＩの前記少なくとも１つのビットは、確認応答（ＡＣＫ）、否定ＡＣＫ（ＮＡＣＫ）、またはスケジューリング要求（ＳＲ）のうちの１つまたは複数のビットを含む、Ｃ２９に記載の方法。